(57)【要約】      （修正有）【課題】様々な外耳道の径及び形状に適合でき、充分な構造安定性を有し、変形しにくい、カナール型イヤホーンに取り付ける耳栓を提供する。【解決手段】耳栓は、固定部２１と封止部２２とを備える。固定部の一端は耳内部に差し込まれ、表面に第１穴部２１１を有し、他端に内側に延伸して凹溝２１２を形成し、凹溝と第１穴部とが連通され、凹溝が第１穴部に対応する箇所にチューブ体２１３を有する。封止部は、固定部がチューブ体を設けた一端に設けられ、かつ、チューブ体と接続し、接続部にチューブ体と連通する第２穴部２２１を有し、封止部によって凹溝が封止され、凹溝内部の充満空気により、凹溝にリング状の弾性戻り空間が形成される。凹溝とチューブ体で形成される弾性戻り空間により、耳栓を外耳道に差し込んだ時、耳栓は圧縮され、その後、速やかに元の形状に戻り、外耳道に固定される。【選択図】図２
0003215127.tif 000002
【実用新案登録請求の範囲】
【請求項１】
カナール式イヤホーンに取り付ける耳栓であって、
固定部と封止部とを備え、
前記固定部の一端が耳内部へ差し込んで使用され、表面に第１穴部を有し、他端に内側に延伸する凹溝を形成し、前記凹溝が前記第１穴部と連通していて、かつ、前記凹溝が前記第１穴部に対応する箇所に前記固定部と一体成形されたチューブ体を有し、前記チューブ体が前記固定部の一端より耳内部で前記固定部の他端まで延伸して設けられ、前記チューブ体が前記イヤホーンの音声出力部と接続していて、音声を前記チューブ体より伝えることができ、
前記封止部は前記固定部が前記凹溝を有する一端に設けられていて、かつ、前記チューブ体と接続しており、前記封止部と前記チューブ体との接続部に前記チューブ体と連通する第２穴部を有し、前記封止部によって前記凹溝が封止され、前記凹溝に空気を充満することによって、前記凹溝に弾性戻り空間を形成することを特徴とする、耳栓。
【請求項２】
前記固定部は軟性部材から製造され、前記封止部は硬質部材から製造されることを特徴とする、請求項１記載の耳栓。
【考案の詳細な説明】
【技術分野】
【０００１】
本考案は耳栓の分野に関し、特に耐圧縮性を有し、高い構造安定性を有する耳栓に関する。
【背景技術】
【０００２】
現在、イヤホーンはもはや人々の音楽鑑賞に欠かせない物となっている。イヤホーンは大きく耳マスク式と、カナール式と、耳プラグ式とに分けられる。イヤホーンはそれぞれ耳に固定する方式も一様ではない。カナール式イヤホーンは、貫通孔を有する耳栓を別途取り付けることで、イヤホーンが貫通孔のある耳栓を介して、外耳道に固定されると同時に、音声伝達と、外部音声を遮る効果がある。
【考案の概要】
【考案が解決しようとする課題】
【０００３】
図１の公知技術の耳栓の態様図を参照する。図に示すように、従来の耳栓１は、中空状のチューブ体１１と外部フード体１２とを含み、中空状のチューブ体１１は音声入力端と音声出力端とを有し、外部フード体１２が中空状のチューブ体１１の音声出力端の最上部の外側から後方に延設され、フード状の弾性体を形成する。しかし、この種の耳栓１を実際に使用するとき、人によって外耳道の径が違うため、異なるサイズの耳栓１を使用者で選択して使用する必要があった。すなわち、耳栓１を製造するときに、外部フード体１２の大きさを調整しなければ、外耳道の径の大きさに合わせることができない。よって、製造コストが高くなるとともに、使用者もその都度試着して、自分に合う耳栓１を選択する必要があり、極めて不便である。さらに、従来型の耳栓１は、軟性部材からすべて一体的に成形されており、使用時間が経過すると、または使用が一定回数に達すると、耳栓１は変形の恐れがある。特に固定構造を有しない外部フード体１２部分では、元々有する外部音声の遮断効果が低下する。
【０００４】
この点について、本考案者は完備されていないところを鋭意研究し、係る産業において長年蓄積された経験をもとに、本案の耳栓を考案し、前述した公知技術の欠点の改善を図ろうとするものである。
【課題を解決するための手段】
【０００５】
本考案の目的の一つは、様々な外耳道の径及び形状に適合できることに加え、充分な構造安定性を有する、変形しにくい耳栓を提供することである。
【０００６】
前述の目的を達成するため、本考案により、カナール型イヤホーンに取り付ける耳栓を提供する。本考案の耳栓は、固定部と封止部とを備え、固定部の一端は耳内部に差し込まれ、表面に第１穴部を有し、他端に内側に延伸する凹溝を形成し、凹溝が第１穴部と連通していて、凹溝が第１穴部に対応する箇所に固定部と一体成形されたチューブ体を有する。チューブ体は、固定部の一端より耳内部で固定部の他端まで延伸して設けられ、チューブ体をイヤホーンの音声出力部と繋ぐことで、音声がチューブ体を介して耳内部に伝えられる。封止部はチューブ体と接続しており、封止部とチューブ体との接続部にチューブ体と連通する第２穴部を有し、封止部によって凹溝が封止され、凹溝の内部には空気が充満しており、凹溝にリング状の弾性戻り空間が形成される。
【０００７】
中でも、固定部は軟性部材から製造され、封止部は硬質部材から製造されることによって、封止部の構造安定性が強化され、イヤホーンの接続をより安定させることができる。
【考案の効果】
【０００８】
このようにして、本考案は、凹溝とチューブ体との対向位置によって形成される弾性戻り空間によって、耳栓を外耳道に差し込んだ後、凹溝に封止された空気によって、耳栓が圧縮された後、速やかに元の形状に戻され、耳栓を外耳道に固定する一方、弾性戻り空間を介して、固定部に充分な構造安定性が与えられ、しかも変形しにくい。本耳栓はまた、各種の外耳道の径及び形状に対応でき、構造的に安定するという長所を有する。
【図面の簡単な説明】
【０００９】
【図１】本考案に関する公知技術を示す態様図である。
【図２】本考案の好ましい実施例による断面図である。
【図３】本考案の好ましい実施例による取り付け状態を示す態様図である。
【図４】本考案の好ましい実施例において、外耳道に差し込んだ状態を示す態様図である。
【考案を実施するための形態】
【００１０】
審査官の方々が本考案の内容のさらなる理解のため、下記の説明に図式を組み合わせて、参考にしていただきたい。
【実施例】
【００１１】
図２から図４、つまり、本考案の好ましい実施例による断面図と、取り付け状態を示す態様図と、外耳道に詰め込んだ状態を示す態様図とを参照する。図に示すように、本考案の耳栓２は、カナール式イヤホーン３に取り付けられ、固定部２１と封止部２２とを備える。固定部２１の一端は耳内部へ差し込まれ、表面に第１穴部２１１を有し、他端に内側に延伸する凹溝２１２を形成し、凹溝２１２が第１穴部２１１と連通していて、かつ、凹溝２１２が第１穴部２１１に対応する箇所に固定部２１と一体成形されたチューブ体２１３を有し、チューブ体２１３が固定部２１の一端より耳内部で固定部２１の他端まで延伸して設けられており、チューブ体２１３をイヤホーンの音声出力端と繋ぐことで音声がチューブ体２１３を介して、耳内部に伝えられる。また、封止部２２は固定部２１が凹溝２１２を設けた一端に設けられていて、かつ、チューブ体２１３と接続しており、封止部２２とチューブ体２１３との接続部にチューブ体２１３と連通する第２穴部２２１を有し、封止部２２によって凹溝２１２が封止され、凹溝２１２の内部には空気が充満しており、凹溝２１２にリング状の弾性戻り空間が形成される。
【００１２】
凹溝２１２が封止部２２によって封止され、弾性戻り空間を形成し、耳栓２が外耳道に圧入された後、固定部２１は弾性戻り空間に充満した気圧により、より迅速に元の状態に戻ることができ、イヤホーン３は外耳道に固定される。すなわち、弾性戻り空間は気嚢のような効果を達成することができる。使用者の外耳道の形状や径の大小に拘らず、弾性戻り空間の気圧の拡張力によって、様々な外耳道に適用することができる。第４図を参照。さらに、本実施例において、固定部２１は軟性部材から製造されているのに対して、封止部２２は硬質部材から製造されている。よって、硬質の封止部２２によって、イヤホーン３との接続剛性が強化され、使用時間の経過によって、耳栓２とイヤホーン３とのつなぎ場所に変形が生じるのが避けられる。
【００１３】
さらに、凹溝２１２は、空気が充填された後に封止されているので、固定部２１の構造の剛性強化の効果を達成できる。凹溝２１２に封入された気体は減少しないため、何回押されても、固定部２１は間違いなく元の状態に戻ることができる。よって、軟性部材からなる固定部２１が数回の押圧によって変更するという欠点を回避することができ、固定部２１は優れた構造剛性を有する。
【００１４】
前述した通り、本考案は、凹溝２１２内部の気体が漏れるのを防ぐために、封止部２２によって、凹溝２１２を封止するので、耳栓２をスムーズに耳内部に差し込むことができる。さらに、使用者の外耳道の径、大小、形状に拘らず、固定部２１が弾性戻り空間によって、外耳道に固定されるので、サイズが合わないために、耳栓２を交換する心配はない。さらに、封止部２２を設けることによって、耳栓２と、イヤホーン３との接続部に充分な構造剛性を持たせているので、使用時間の経過によって、耳栓２とイヤホーン３との接続部が変形し、使用者の着用に不快感を与える心配はない。
【符号の説明】
【００１５】
（公知技術）
１  耳栓
１１  中空状のチューブ体
１２  外部フード体
（本考案）
２  耳栓
２１  固定部
２１１  第１穴部
２１２  凹溝
２１３  チューブ体
２２  封止部
２２１  第２穴部
３  イヤホーン
【図１】
0003215127.tif 000003
【図２】
0003215127.tif 000004
【図３】
0003215127.tif 000005
【図４】
0003215127.tif 000006